(57)【要約】      （修正有）【課題】髪の長い女性が掛けても隠れることのない飾りをツルに取付けたメガネフレームを提供する。【解決手段】飾り８の裏面に取付け部材１０を設けた形態とし、ツル２にはアタッチメント９を係合して止着すると共に、取付け部材１０の他端部をアタッチメント９に係合して飾りを取付け、ツルとの間に髪を挟むことができる空間１７を形成する。【選択図】図３
0003208107.tif 000002
【実用新案登録請求の範囲】
【請求項１】
メガネフレームのツルに取付ける飾りにおいて、飾りの裏面には取付け部材を設け、該取付け部材を介してツルに取着したアタッチメントに該ツルとの間に空間を設けて取付けたことを特徴とするメガネフレームの飾り。
【請求項２】
飾りをツルに取付けたメガネフレームにおいて、飾りの裏面には取付け部材を設けた形態とし、ツルにはアタッチメントを係合して止着すると共に上記取付け部材の他端部を該アタッチメントに係合して上記飾りを取付けると共にツルとの間には空間を形成したことを特徴とする飾りを取付けたメガネフレーム。
【請求項３】
上記取付け部材を概略Ｕ形とし、一端側を飾りに固定し、他端側にはアームを延ばしてアタッチメントに設けた長穴に係合して取付けた請求項２記載の飾りを取付けたメガネフレーム。
【請求項４】
上記アタッチメントは下側を開口したコ形としてツル内面に形成した溝に係合するようにアタッチメントを取付けた請求項２、又は請求項３記載の飾りを取付けたメガネフレーム。
【考案の詳細な説明】
【技術分野】
【０００１】
本考案はメガネフレーム及びメガネフレームのツルに取付け・取外しすることが出来る飾りに関するものである。
【背景技術】
【０００２】
メガネ（眼鏡）は、その目的は近眼や老眼などの矯正用とする場合、また眩しい太陽光線や紫外線を遮る目的とする場合など、用途は色々あるが、何れのメガネも使用する際には顔に掛けられる。その為に、メガネフレームには各種の装飾が施されている。例えば、フレーム本体のデザインに工夫を凝らしている以外にもメッキ処理したり、塗装をするなどの装飾が施されている場合が多い。
【０００３】
また、メガネフレームを装飾する手段として、独立した部材で構成した飾りを取り付けることも多い。ところで、装飾手段としての従来の飾りはメガネフレームの一部に固定されている。たとえば、宝石を飾りとして取付けることでメガネフレームはより高級感が増し、人の心を引き付ける効果がある。
従来から、メガネフレーム（眼鏡フレーム）に装飾部品を取付けたものは数多く存在している。
【０００４】
例えば、特開２００６−９８５２１号に係る「装飾品付き眼鏡フレーム」は、小さいスペースで複数個の宝石を配置することができ、従来にない斬新でシンプルなデザインと知的でさりげない高級感を醸し出すことができる。
眼鏡フレームの智部に装飾品を取付けたもので、装飾品は色が異なる２つの宝石からなり、これらの宝石を１つの台座に互いに一辺を接触させて組込み、台座は、両端が開放する角筒状体に形成されたベゼルが用いられている。
【０００５】
また、特開２００２−２５８２２１号に係る「眼鏡フレームにおける装飾品の取付構造」は、眼鏡フレームに装飾品を比較的簡単な構造で熟練を要さず、しかも確実に取付けることが出来るようにしている。
そこで、眼鏡フレームのヨロイの一部を構成するケースに、表面側開口部が取付けるべき装飾品の外形状より小さい取付孔を設け、装飾品と抜け止め部材をケースに挿入し、抜け止め部材を接着剤で取付孔内に固定している。
【特許文献１】特開２００６−９８５２１号に係る「装飾品付き眼鏡フレーム」
【特許文献２】特開２００２−２５８２２１号に係る「眼鏡フレームにおける装飾品の取付構造」
【考案の開示】
【考案が解決しようとする課題】
【０００６】
このように飾りを取付けたメガネフレームは色々知られている。しかし、従来の飾りはメガネフレームのツルやヨロイなどに固定され、比較的小さくてさり気なくメガネフレームの高級感を醸し出すように構成している。
ところで、飾りを取付けたメガネフレームを好んだ着用するのは一般に女性であり、男性であれば飾りなしでシンプルなデザインのメガネフレームが好まれる。
髪の長い女性がツルに飾りを取付けたメガネ（眼鏡）を着用する場合、長い髪に飾りのみならずツル全体が隠れてしまい、飾りとしての効果が失われることが多い。
本考案が解決しようとする課題は、髪の長い女性が着用しても飾りの効果を失うことのないメガネフレーム及びツルに取付けることが出来る、また不要な際には取外すことが出来る飾りを提供する。
【課題を解決するための手段】
【０００７】
本考案に係るメガネフレームはツルに飾りを取付けて構成したものであり、しかも該飾りは取外しすることが可能な構造としている。ただし、飾りの具体的な材質、形態などは特に限定しない。
飾りはその裏面（背面）に取付け部材を設け、該取付け部材の先端にはアームを延ばし、さらに該アーム先端には係止片を形成している。ツルにはアタッチメントを移動出来るように配置し、このアタッチメントに上記取付け部材を介して飾りが取付けられる。
【０００８】
上記飾りは取付け部材に取着され、ツルの先端部側（モダン側）へ延びた形態とし、しかも飾りはツルに接することなく該ツルとの間に所定の空間を残している。上記取付け部材は一般に飾りとは別部品として構成し、飾り背面に固定されるが、飾りと取付け部材を一体化して射出成形することも可能である。
上記アタッチメントはツルに沿って移動することが出来ると共に所定の位置で停止することが出来るように、ツルの裏面（内面）には溝又は凹部を形成していて、この溝や凹部にアタッチメントの一部が係合して所定の位置に止着される。
そして、このアタッチメントには取付け部材に設けたアームが係合して取付けられる。
【考案の効果】
【０００９】
本考案のメガネフレームはそのツルに飾りを取付けたもので、しかも飾りは取付け部材を介してツルの表面から所定の空間を残してはみ出した状態と成っている。したがって、メガネを掛ける場合、髪が長い女性であっても上記飾りとツルの間に垂れる髪を挟むことが出来、その為に飾りは常に表面化し、髪によって隠れることはない。また該飾りはツルに完全固定されておらず、取外すことが出来る構造と成っていることから、不要な時には飾りのないメガネとして使用できる。
【００１０】
一方、取付け部材の材質を弾性変形に優れたバネ材で構成するならば、飾りによって挟まれる長い髪はバネ性の取付け部材によって拘束され、挟んだ髪が飾りから外れることはない。さらに、飾りは取外し可能である為に、好みに応じて取り替えることが出来、髪飾りとして機能することが出来る。
【図面の簡単な説明】
【００１１】
【図１】飾りを取付けていないメガネフレームの実施例で、（ａ）は平面図、（ｂ）は正面図を示している。
【図２】飾りを取付けていないメガネフレームの実施例で、側面図を表している。
【図３】飾りを取付けたメガネフレームのツルで、（ａ）は平面図、（ｂ）は正面図を示している。
【図４】飾りの内面から延びる取付け部材がアタッチメントに係合して取付けた場合。
【図５】アタッチメントの詳細図。
【考案を実施するための形態】
【００１２】
図１は本考案の飾りを取外した状態のメガネフレームを示す実施例であり、メガネフレームとしての基本的形態は従来と同じである。同図の１はフロント部、２はツルを表し、ツル２，２はフロント部１の両側に蝶番３，３を介して折畳み出来るように取付けられている。メガネフレームの材質は特に限定しないが、同図に示すメガネフレームは樹脂製であって、フロント部１は射出成形されて両リム４，４が中央の連結部５によって左右対称に繋がれ、フロント部中央下側には対を成して鼻当てパット６，６が取付けられている。
【００１３】
そして、上記ツル２の裏面（内面）には２か所に溝７ａ，７ｂを設けている。図２に示すように溝７ａ，７ｂの深さは浅く、上下方向にツル２を横断する形態としている。勿論、３か所に溝７ａ，７ｂ・・・を設けることも可能であり、該溝７ａ，７ｂの形状は同図に示す場合に限らない。
図３はツル２に飾り８を取付けた場合の平面図と正面図であり、ツル２にはアタッチメント９が取着され、このアタッチメント９に取付部材１０を介して飾り８が取付けられている。
【００１４】
取付け部材１０は上記飾り８の裏面にその一端が固定され、Ｕ形に湾曲した形状をしていて、他端部には２本のアームを有している。すなわち、２本のアームが上記アタッチメント９に設けている長穴に嵌入して取付けられる。
同図のアタッチメント９はツル２に形成した溝７ａに係合しているが、溝７ｂに係合するように移動することも可能であり、飾り８の位置は変更出来るようにしている。
【００１５】
図４は飾り８とその裏面に固定した取付け部材１０のアーム１１がアタッチメント９に設けている長穴に嵌入している場合を表している。
同図に示す飾り８は草花の葉を模った板状態を成し、取付け部材１０はＵ形を成し、その飾り８の裏面に一端が固定され、他端部にはアーム１１を延ばしている。
アタッチメント９は下側を開口した概略コ形をした部材で、一方側部１２と他方側部１３が繋ぎ部１４にて連結している。上記一方側部１２の先端（下端）には小さい係止片１５を有し、他方側部１３には上記長穴１６を貫通している。
【００１６】
長穴１６は幅が小さい縦長形状とし、この縦方向長穴１６に取付け部材１０のアーム１１が嵌入して止着されている。
ここで、上記飾り８、取付け部材１０、及びアタッチメント９の材質は特に限定しないが、一般には樹脂製としている。上記Ｕ形に湾曲した取付け部材１０は弾性変形し、飾り８を手前に引くことでツル２との間に形成している空間１７を拡大することが出来るようにすることが出来る。その為に、取付け部材１０としてバネ材を用いることもあり、又は飾り８と取付け部材１０を一体的に成形することもある。
【００１７】
図５はアタッチメント９に嵌っている取付け部材１０のアーム１１を示している。対を成す２本のアーム１１ａ，１１ｂは内側に撓み変形して長穴１６に嵌り、先端に形成している係止片１８ａ，１８ｂが端面１９に係止することで、アーム１１ａ，１１ｂは抜けないように止着される。また、同図に示す斜線部はツル２を表し、一方側部１２と他方側部１３にてツル２を挟んで取付けられ、一方側部１２の先端に形成した係止片１５はツル下面２０に係止して止着される。
【００１８】
ツル内面に形成した溝７ａには一方側部１２が係合し、その為にアタッチメント９は位置ズレすることなく止着される。位置を変えて隣の溝７ｂに嵌める場合には、一方側部１２を溝７ａから外してツル２に沿ってスライドすることが出来る。勿論、ツル２に沿ってスライドすることなく、アタッチメント９を一旦ツル２から取外し、他の溝７ｂに一方側部１２が係合するように該アタッチメント９を取付けることも出来る。
【００１９】
ところで、実施例ではアタッチメント９を位置決めする手段としては、ツル内面に溝７を設けているが、この溝７に係合するようにする場合に限ることなく、他の手段を用いることも可能である。例えば、ツル内面に半球状の凹部を形成し、一方側部１２の内面に凸部を突出し、この凸部を上記凹部に係合させることで位置決めすることも出来る。
【符号の説明】
【００２０】
１   フロント部
２   ツル
３   蝶番
４   リム
５   連結部
６   鼻当てパット
７   溝
８   飾り
９   アタッチメント
10   取付け部材
11   アーム
12   一方側部
13   他方側部
14   繋ぎ部
15   係止片
16   長穴
17   空間
18   係止片
19   端面
20   下面
【図１】
0003208107.tif 000003
【図２】
0003208107.tif 000004
【図３】
0003208107.tif 000005
【図４】
0003208107.tif 000006
【図５】
0003208107.tif 000007